(57)【要約】【課題】帳票裏面に印刷されるインキの透けによるＯＣＲの読み取りエラーを防止する。【解決手段】紙材１１の表面にサーマル層１３が塗工されたサーマル用紙を用いて帳票を作製する場合には、サーマル層１３に対応する箇所に限定して紙材１１の裏面に白色インキをベタ印刷した遮蔽層１５を形成し、この遮蔽層１５の上に印刷される宣伝広告情報１６の透けを遮蔽する。【選択図】  図１
2004243710.tif 000002
【特許請求の範囲】
【請求項１】
紙材の表面にサーマル層が塗工されたサーマル用紙を用いて作製される帳票であって、紙材の裏面に遮蔽層が設けられ、この遮蔽層は紙材の裏面に後印刷される情報が紙材の表面からＯＣＲ読み取りできない程度の遮蔽性を備えていることを特徴とする帳票。
【請求項２】
紙材の表面に印刷インキで印刷されたＯＣＲ読み取り部を有する用紙を用いて作製される帳票であって、紙材の表面または裏面あるいは表裏面の少なくともＯＣＲ読み取り部の下層に位置する箇所に遮蔽層が設けられ、この遮蔽層は紙材の裏面に後印刷される情報が紙材の表面からＯＣＲ読み取りできない程度の遮蔽性を備えていることを特徴とする帳票。
【請求項３】
上記遮蔽層は、印刷インキをベタ印刷して形成されていることを特徴とする請求項１または請求項２に記載の帳票。
【請求項４】
上記印刷インキは、酸化チタンまたは酸化亜鉛あるいは硫化亜鉛から選ばれる顔料を含有したインキであることを特徴とする請求項３に記載の帳票。
【請求項５】
上記印刷インキは、ＯＣＲで読み取り不能なドロップアウトカラーインキであることを特徴とする請求項３に記載の帳票。
【発明の詳細な説明】
【０００１】
【発明の属する技術分野】
本発明は、例えば銀行や郵便局等に置かれる振込用紙として好適な帳票に関するものである。
【０００２】
【従来の技術】
近年、例えば銀行における振込業務では、事務処理の迅速化を図るために、光学的文字読み取り装置（以下、ＯＣＲという）による自動読み取りが行なわれている。また、振込用紙としては特許文献１のようなＯＣＲ用紙が用いられる。このＯＣＲ用紙は、記入枠がＯＣＲで読み取り不能なドロップアウトカラーインキで印刷され、記入枠内に手書きで書き込まれた文字やＯＣＲインキで印字された文字のみを読み取るものとしている。
【０００３】
【特許文献１】
特開平７−８９２６１号公報
ところで、振込用紙を作製するユーザは、記入枠以外の箇所に宣伝広告情報を印刷することも多い。一般に、このような宣伝広告情報はＯＣＲによる読み取りに支障を来たさないように用紙の裏面に印刷しなければならない。また、宣伝広告情報が用紙の表面に透けてしまうと、これが表面の読み取り情報に重なって読み取りエラーが発生することから、裏面に印刷する情報はドロップアウトカラーインキや薄く淡い色のインキによる印刷に限定されている。
【０００４】
このような事情から、従来のＯＣＲ用紙を用いた振込用紙においては、ユーザが希望するデザインや配色で宣伝広告を印刷することができず、印刷自由度が大幅に制約されているという問題がある。
【０００５】
また、このような問題は、上述のようなＯＣＲ用紙に限らずサーマル用紙においても同様に生じ得る。例えば、郵便局ではサーマル用紙を用いた振込用紙が利用されており、用紙表面に塗工されたサーマル層の発色でＯＣＲ文字等の光学式読取コードを印字して、このコードをＯＣＲで読み取るものとしている。このような場合にも、用紙裏面に印刷する情報は、透けによるコードの誤読を避けるためにドロップアウトカラーインキや薄く淡い色のインキによる印刷に限られ、デザインや配色の自由度が制約されるものとなる。
【０００６】
【発明が解決しようとする課題】
本発明は、上記のような実情に鑑みてなされたものであり、その目的とするところは、ＯＣＲで読み取りされる帳票において、裏面に印刷される情報のデザインや配色の自由度を向上させることができる帳票を提供することにある。
【０００７】
【課題を解決するための手段】
上記目的を達成するために、本発明は、紙材の表面にサーマル層が塗工されたサーマル用紙を用いて作製される帳票であって、紙材の裏面に遮蔽層が設けられ、この遮蔽層は紙材の裏面に後印刷される情報が紙材の表面からＯＣＲ読み取りできない程度の遮蔽性を備えていることを特徴とする。
【０００８】
また、本発明は、紙材の表面に印刷インキで印刷されたＯＣＲ読み取り部を有する用紙を用いて作製される帳票であって、紙材の表面または裏面あるいは表裏面の少なくともＯＣＲ読み取り部の下層に位置する箇所に遮蔽層が設けられ、この遮蔽層は紙材の裏面に後印刷される情報が紙材の表面からＯＣＲ読み取りできない程度の遮蔽性を備えていることを特徴とする。ここで、用紙としては専用のＯＣＲ用紙に限らず上質紙等であっても構わない。
【０００９】
遮蔽層の形成方法としては各種考えられるが、例えば印刷インキをベタ印刷することで形成することができる。
【００１０】
このような印刷インキとしては、酸化チタンまたは酸化亜鉛あるいは硫化亜鉛から選ばれる顔料を含有したインキや、ＯＣＲで読み取り不能なドロップアウトカラーインキ等を使用することが可能である。
【００１１】
【発明の実施の形態】
以下、本発明の実施の形態について添付図面を参照しながら詳細に説明する。
【００１２】
まず、本発明の第１の実施形態について図１と図２に基づき説明する。図１は本発明を振込用紙に適用した例を示す平面図、図２は同振込用紙のＩＩ−ＩＩ線断面図である。
【００１３】
本実施形態の振込用紙１０は郵便局での振替業務に用いられる用紙であり、サーマル用紙を用いた帳票の一例である。この振込用紙１０は、所要形状に成形された紙材１１を縦断するミシン目１４が設けられ、ミシン目１４を介して払込取扱票１０−１と受領証１０−２の２つの帳票に区画されている。
【００１４】
払込取扱票１０−１と受領証１０−２には、それぞれ紙材１１の表面に記入枠１２が印刷されており、記入枠１２内の記入欄はサーマル層１３によって構成されている。サーマル層１３は、電子供与体と電子受容体の２つの成分を固体微粒子として樹脂バインダ中に分散させて塗工したもので、常温では固体であるがサーマルヘッドで加熱することで溶融状態になり互いに反応して発色する。
【００１５】
郵便局ではこの振込用紙１０を利用して行なう振込業務において、事務処理の迅速化を図るために、記入枠１２内の記入欄に記入される事項はＯＣＲで自動読み取りされるＯＣＲ読み取り部となっている。本実施形態では、振込銀行名、振込金額、振込先等の所定事項は、サーマル層１３を加熱発色させた光学式読取コードで印字される。
【００１６】
すなわち、払込取扱票１０−１の中央部分に設けられたＯＣＲ印字欄の上段には郵政省用データが、同下段には加入者用データがそれぞれＯＣＲ文字１３−１で印字されている。また、郵便局以外にコンビニエンスストア等での払込も可能となるように、所定のデータがバーコード１３−２によって払込人住所氏名欄内に印字されている。
【００１７】
本実施形態では、紙材１１表面の記入枠１２内に感熱記録された所定事項をＯＣＲで読み取る場合に、紙材１１の裏面に後印刷する宣伝広告情報１６が所定事項に重なって誤読による読み取りエラーが発生することがないように、宣伝広告情報１６の透けを遮蔽する遮蔽層１５が設けられていることが特徴である。
【００１８】
遮蔽層１５は、少なくとも宣伝広告情報１６が紙材１１の表面からＯＣＲで読み取りできない程度の遮蔽性を備えていれば良く、宣伝広告情報１６は遮蔽層１５の上に後印刷される。遮蔽層１５の形成方法としては各種考えられるが、例えば印刷インキをベタ印刷することで形成することができる。本実施形態では、紙材１１の表面に塗工されたサーマル層１３に対応する箇所に限定して、紙材１１の裏面側に白色インキがベタ印刷されている。
【００１９】
使用する白色インキは、酸化チタンまたは酸化亜鉛あるいは硫化亜鉛から選ばれる顔料を含有した印刷インキが好適である。その理由は、酸化チタン等の顔料は高度な遮蔽性を有する上に、背景となる遮蔽層が白色であればその上に後印刷されるインキのデザインや配色の制約を受けることなく印刷自由度が大幅に拡がるためである。
【００２０】
また、本実施形態のようにサーマル用紙に適用する場合には、遮蔽層１５は紙材１１の裏面側に設ける必要がある。これは、紙材１１の表面側にはＯＣＲ読み取り部となるサーマル層１３があり、遮蔽層１５のサーマル層１３への干渉を防ぐためである。すなわち、仮にサーマル層１３と同一面に遮蔽層１５を設けるとすると、例えば、サーマル層１３の発色が遮蔽層１５により隠れてしまいサーマル印字ができない。また、サーマル用紙と遮蔽層１５のインキとのマッチングによっては遮蔽層１５のインキが用紙を黄変させ外観見栄えが悪くなる、等の不具合が発生することが予想されるため、これらの不具合を未然に防ぐために遮蔽層１５は紙材１１の裏面側に設けるものとする。
【００２１】
さらに、遮蔽層１５を形成するための印刷インキとしては、上記のような白色インキに替えて、ＯＣＲで読み取りされない色の印刷インキとして例えば赤色、橙色、青色等のドロップアウトカラーインキを使用することも可能である。
【００２２】
この場合にもサーマル層１３への干渉を避けるために、ドロップアウトカラーインキによる遮蔽層１５は紙材１１の裏面側に塗布される。また、ドロップアウトカラーインキの印刷濃度は、ＰＣＳ値をＯＣＲテスタで測定して所定値に管理され、遮蔽層１５の上に印刷される宣伝広告情報１６はドロップアウトカラー以外の色のインキで印刷される。
【００２３】
次に、本発明の第２の実施形態について図３と図４に基づき説明する。図３は本発明を振込用紙に適用した例を示す平面図、図４は同振込用紙のＩＶ−ＩＶ線断面図である。
【００２４】
本実施形態の振込用紙２０は銀行での振込業務に用いられる用紙であり、ＯＣＲ用紙を用いた帳票の一例である。この振込用紙２０には、所要形状に成形された紙材２１の表面に記入枠２２が設けられている。この記入枠２２は、目視できるがＯＣＲで読み取りされないように赤色、橙色、青色等のドロップアウトカラーインキでオフセット印刷されている。
【００２５】
銀行では、この振込用紙２０を利用して行なう振込業務において、事務処理の迅速化を図るために、記入枠２２内の記入欄に記入される事項はＯＣＲで自動読み取りされるＯＣＲ読み取り部となっている。本実施形態では、振込先銀行名、振込金額、受取人名振込先等の所定事項が印字され、これらの所定事項はＯＣＲで読み取り可能な印刷インキ２３で印刷される。
【００２６】
本実施形態においても、紙材２１表面の記入枠２２内に印刷インキ２３で印字された所定事項はＯＣＲで読み取り処理される。このとき、紙材２１の裏面に後印刷される宣伝広告情報２６が所定事項に重なって誤読による読み取りエラーが発生することがないように、宣伝広告情報２６の透けを遮蔽する遮蔽層２５が設けられている。本実施形態では、遮蔽層２５はＯＣＲ読み取り部の下層に位置する箇所、つまり記入枠２２の範囲内に限定して紙材２１の裏面側に設けられている。尚、遮蔽層２５を形成するために使用する印刷インキは、上述した第１の実施形態と同一のものであるのでその詳細な説明は省略する。
【００２７】
また、本実施形態のようにＯＣＲ用紙に適用する場合には、遮蔽層２５の形成箇所の変形例として図５または図６に示すような構成も考えられる。
【００２８】
図５に示す振込用紙２０−１は、遮蔽層２５が紙材２１の表面側に設けられている点に特徴がある。ＯＣＲ用紙の場合、サーマル用紙と異なり紙材２１の表面側がサーマルヘッドの熱による影響を受けず、インキの付着による汚れやインキの黄変等の恐れもない。よって、白色インキやドロップアウトカラーインキによる遮蔽層２５を紙材２１の表面側に形成することができる。この振込用紙２０−１において、ドロップアウトカラーインキによる記入枠２２と印刷インキ２３は遮蔽層２５の上に印刷され、宣伝広告情報２６は紙材２１の裏面に直接印刷される。
【００２９】
図６に示す振込用紙２０−２は、紙材２１の表面側と裏面側にそれぞれ第１の遮蔽層２５−１と第２の遮蔽層２５−２が設けられている点に特徴がある。この振込用紙２０−２において、ドロップアウトカラーインキによる記入枠２２と印刷インキ２３は第１の遮蔽層２５−１の上に印刷され、宣伝広告情報２６は紙材２１裏面に設けられた第２の遮蔽層２５−２の上に後印刷される。
【００３０】
このように、ＯＣＲ用紙に適用する場合であっても、遮蔽性を有する遮蔽層２５（２５−１，２５−２）によって、紙材２１裏面に印刷される宣伝広告情報２６の透けが防止され、印刷インキ２３のＯＣＲ読み取りに影響を与えることがない。よって、紙材２１裏面に後印刷するインキの制約を受けることがなく、宣伝広告情報１６の自由な印刷が可能となる。
【００３１】
尚、上述した各実施形態では、製造コスト低減の観点から遮蔽層の形成箇所を限定しているが、裏面全面に塗布しても良く、この場合には遮蔽層の上に印刷される宣伝広告情報の印刷スペースを広く確保できるという利点がある。また、本発明は、薄く透け易い紙材を使用して作製する帳票に適用する場合に特に効果的である。
【００３２】
【発明の効果】
以上詳細に説明したように、本発明に係る帳票によれば、サーマル用紙やＯＣＲ用紙に適用した場合に、遮蔽性を有する遮蔽層によって紙材裏面に印刷されるインキの透けが防止され、紙材表面に印字されるサーマル層や印刷インキをＯＣＲで自動読み取りする際に支障を来たすことがない。したがって、紙材裏面に後印刷される情報はデザインや配色に制約を受けることがなく印刷自由度が大幅に拡がるという効果を奏する。
【図面の簡単な説明】
【図１】本発明を郵便局の振込用紙に適用した例を示す平面図。
【図２】図１に示すＩＩ−ＩＩ線断面図。
【図３】本発明を銀行の振込用紙に適用した例を示す図。
【図４】図３に示すＩＶ−ＩＶ線断面図。
【図５】本発明の他の構成例を示す断面図。
【図６】本発明の他の構成例を示す断面図。
【符号の説明】
１０  振込用紙（サーマル用紙）
１０−１  払込取扱票
１０−２  受領証
１１  紙材
１２  記入枠
１３  サーマル層
１３−１  ＯＣＲ文字
１３−２  バーコード
１４  ミシン目
１５  遮蔽層
１６  宣伝広告情報
２０，２０−１，２０−２  振込用紙（ＯＣＲ用紙）
２１  紙材
２２  記入枠
２３  印刷インキ
２５  遮蔽層
２５−１  第１の遮蔽層
２５−２  第２の遮蔽層
２６  宣伝広告情報
【図１】
2004243710.tif 000003
【図２】
2004243710.tif 000004
【図３】
2004243710.tif 000005
【図４】
2004243710.tif 000006
【図５】
2004243710.tif 000007
【図６】
2004243710.tif 000008